(57)【特許請求の範囲】
【請求項１】
装着する容器体５内へ連通させる外気導入孔６を上部に備えたシリンダ２と、シリンダ２上端部周囲を被覆するとともに、シリンダ２内周面に第１シール部s1を介して密に嵌着したリング状をなし、且つ、下部に上向き段部13を有する螺条形成周面ａを備えたリング状部材３と、シリンダ２内よりリング状部材３中央の貫通孔19を介して突設したステム20の上端に噴出ヘッド21を嵌着させるとともに、上方付勢状態で上下動可能に設けた作動部材４とを備え、作動部材４の上下動により嵌着した容器体５内の液を吸い上げて噴出ヘッド21の噴出口26より噴出する如く構成するとともに、押下げ状態の噴出ヘッド21の周壁24を、上記上向き段部13による螺着幅の規制下に、螺条形成周面ａへの螺着が可能に構成し、且つ、螺着状態でリング状部材３内周面に作動部材４が密に嵌合して第２シール部s2を形成する如く構成した液体噴出ポンプに於いて、上記第２シール部s2を、リング状部材３及び噴出ヘッド21で形成される閉空間ｂを介して外部と連通させる連通路ｐを設け、上記リング状部材３が、シリンダ２の内周面上端部に上記第１シール部s1を介して密に嵌合させたシール筒14をドーナツ板状の頂板15裏面より垂設するとともに、頂板15内周縁より案内筒17を垂設し、且つ、頂板15外周縁より上記上向き段部13を有する螺条形成周面ａを備えた周壁18を垂設してなるリング状部材であり、上記噴出ヘッド21が、ステム20上端に下部を密嵌させた縦筒22を頂壁23裏面より垂設するとともに、頂壁23周縁部より周壁24を垂設し、且つ、縦筒22上部に基端を連通させたノズル25を周壁24を貫通して前方へ突設してなる噴出ヘッドであることを特徴とする液体噴出ポンプ。
【請求項２】
上記連通路ｐが、噴出ヘッド21の縦筒22外方に垂設したリブ43の下面と、リング状部材３上面との当接により規制された、噴出ヘッドの周壁24下面と上向き段部13上面との隙間44である請求項１記載の液体噴出ポンプ。
【請求項３】
装着する容器体５内へ連通させる外気導入孔６を上部に備えたシリンダ２と、シリンダ２上端部周囲を被覆するとともに、シリンダ２内周面に第１シール部s1を介して密に嵌着したリング状をなし、且つ、下部に上向き段部13を有する螺条形成周面ａを備えたリング状部材３と、シリンダ２内よりリング状部材３中央の貫通孔19を介して突設したステム20の上端に噴出ヘッド21を嵌着させるとともに、上方付勢状態で上下動可能に設けた作動部材４とを備え、作動部材４の上下動により嵌着した容器体５内の液を吸い上げて噴出ヘッド21の噴出口26より噴出する如く構成するとともに、押下げ状態の噴出ヘッド21の周壁24を、上記上向き段部13による螺着幅の規制下に、螺条形成周面ａへの螺着が可能に構成し、且つ、螺着状態でリング状部材３内周面に作動部材４が密に嵌合して第２シール部s2を形成する如く構成した液体噴出ポンプに於いて、上記第２シール部s2を、リング状部材３及び噴出ヘッド21で形成される閉空間ｂを介して外部と連通させる連通路ｐを設け、該連通路ｐが、噴出ヘッド21の周壁24下面に設けた凹溝33であることを特徴とする液体噴出ポンプ。
【請求項４】
上記凹溝33が、噴出ヘッド21の組み付け前に、プレス機35により形成した凹溝である請求項３記載の液体噴出ポンプ。
【請求項５】
装着する容器体５内へ連通させる外気導入孔６を上部に備えたシリンダ２と、シリンダ２上端部周囲を被覆するとともに、シリンダ２内周面に第１シール部s1を介して密に嵌着したリング状をなし、且つ、下部に上向き段部13を有する螺条形成周面ａを備えたリング状部材３と、シリンダ２内よりリング状部材３中央の貫通孔19を介して突設したステム20の上端に噴出ヘッド21を嵌着させるとともに、上方付勢状態で上下動可能に設けた作動部材４とを備え、作動部材４の上下動により嵌着した容器体５内の液を吸い上げて噴出ヘッド21の噴出口26より噴出する如く構成するとともに、押下げ状態の噴出ヘッド21の周壁24を、上記上向き段部13による螺着幅の規制下に、螺条形成周面ａへの螺着が可能に構成し、且つ、螺着状態でリング状部材３内周面に作動部材４が密に嵌合して第２シール部s2を形成する如く構成した液体噴出ポンプに於いて、上記第２シール部s2を、リング状部材３及び噴出ヘッド21で形成される閉空間ｂを介して外部と連通させる連通路ｐを設け、該連通路ｐが、リング状部材３の上向き段部13先端部から螺条形成周面ａ上端部に至る部分に設けた凹溝36であることを特徴とする液体噴出ポンプ。
【請求項６】
装着する容器体５内へ連通させる外気導入孔６を上部に備えたシリンダ２と、シリンダ２上端部周囲を被覆するとともに、シリンダ２内周面に第１シール部s1を介して密に嵌着したリング状をなし、且つ、下部に上向き段部13を有する螺条形成周面ａを備えたリング状部材３と、シリンダ２内よりリング状部材３中央の貫通孔19を介して突設したステム20の上端に噴出ヘッド21を嵌着させるとともに、上方付勢状態で上下動可能に設けた作動部材４とを備え、作動部材４の上下動により嵌着した容器体５内の液を吸い上げて噴出ヘッド21の噴出口26より噴出する如く構成するとともに、押下げ状態の噴出ヘッド21の周壁24を、上記上向き段部13による螺着幅の規制下に、螺条形成周面ａへの螺着が可能に構成し、且つ、螺着状態でリング状部材３内周面に作動部材４が密に嵌合して第２シール部s2を形成する如く構成した液体噴出ポンプに於いて、上記第２シール部s2を、リング状部材３及び噴出ヘッド21で形成される閉空間ｂを介して外部と連通させる連通路ｐを設け、該連通路ｐが、噴出ヘッド21の周壁24に設けた透孔37であることを特徴とする液体噴出ポンプ。
【発明の詳細な説明】
【０００１】
【発明の属する技術分野】
本発明は液体噴出ポンプに関する。
【０００２】
【従来の技術】
液体噴出ポンプとして、装着筒により容器体口頸部に固定するとともに、下部のシリンダを容器体内に垂下し、また、シリンダ内より上方に突出したステムの上端に噴出ヘッドを嵌着して上方付勢状態で上下動可能に作動部材を設け、作動部材の上下動により装着した容器体内の液を吸上げて噴出ヘッドの噴出口より噴出する如く構成したものが知られている。
【０００３】
これらはまた、シリンダの上端を被覆して嵌着したリング状部材を設けて、作動部材を押下げた状態で係止させておくことができ、不用意な液の漏出や容器を倒した際の液の漏出を防止する如く構成している。
【０００４】
具体的に一例を挙げて説明すれば、図17に示す如く、液体噴出ポンプ1Aは装着キャップ7Aにより容器体5Aの口頸部8Aに固定するもので、容器体内へ垂下させたシリンダ2Aの上端にリング状部材3Aを嵌着している。リング状部材3Aは、シリンダ2A上端内周面との間を密に嵌着しており、ここからの液の漏出を防止している。また、シリンダ2A内より突設したステム20A の上端に噴出ヘッド21A を嵌着固定している。更に、ステム20A 及び噴出ヘッド21A を備えた作動部材4Aを押し下げた状態でリング状部材3Aの外周面に噴出ヘッド21A の周壁24A を螺着可能に構成し、この際、リング状部材3A内周面対応位置の作動部材4Aがリング状部材3A内周面に密に嵌合する如く構成している。
【０００５】
この様な状態で運搬，保管等を行うものであるが、作動部材4Aは押下げ固定されているため動かず、誤作動或いは外力による液の漏出を防止でき、また、容器が倒れた場合でもシール部分で漏出を防止できるものである。
【０００６】
この様なポンプは、シリンダ2Aの外気導入孔6Aより気体を送り込み、各シール部分の気密性を検査することが行われている。しかしながら、従来のこの種ポンプでは、噴出ヘッド21A の周壁24A をリング状部材3A外周面の所定位置に螺合させるために、リング状部材3Aの外周下部所定位置に上向き段部13A を形成している。従って、噴出ヘッド周壁24A 下面がこの上向き段部13A と密に接触してこの部分にも気密性が生じる場合があり、気密試験の際にたとえ作動部材4Aとリング状部材3A内周面とのシール部分が気密性に劣る場合であっても試験結果が正確に得られない場合があった。
【０００７】
【発明が解決しようとする課題】
本発明は上記した点に鑑みなされたもので、簡単な構造の変更により気密性試験の試験結果を正確に得られる液体噴出ポンプを提案するものである。
【０００８】
【課題を解決するための手段】
第１の手段として、以下の通り構成した。即ち、装着する容器体５内へ連通させる外気導入孔６を上部に備えたシリンダ２と、シリンダ２上端部周囲を被覆するとともに、シリンダ２内周面に第１シール部s1を介して密に嵌着したリング状をなし、且つ、下部に上向き段部13を有する螺条形成周面ａを備えたリング状部材３と、シリンダ２内よりリング状部材３中央の貫通孔19を介して突設したステム20の上端に噴出ヘッド21を嵌着させるとともに、上方付勢状態で上下動可能に設けた作動部材４とを備え、作動部材４の上下動により嵌着した容器体５内の液を吸い上げて噴出ヘッド21の噴出口26より噴出する如く構成するとともに、押下げ状態の噴出ヘッド21の周壁24を、上記上向き段部13による螺着幅の規制下に、螺条形成周面ａへの螺着が可能に構成し、且つ、螺着状態でリング状部材３内周面に作動部材４が密に嵌合して第２シール部s2を形成する如く構成した液体噴出ポンプに於いて、上記第２シール部s2を、リング状部材３及び噴出ヘッド21で形成される閉空間ｂを介して外部と連通させる連通路ｐを設けた。
【０００９】
第２の手段として、以下の通り構成した。即ち、前記第１の手段に於いて、上記リング状部材３が、シリンダ２の内周面上端部に上記第１シール部s1を介して密に嵌合させたシール筒14をドーナツ板状の頂板15裏面より垂設するとともに、頂板15内周縁より案内筒17を垂設し、且つ、頂板15外周縁より上記上向き段部13を有する螺条形成周面ａを備えた周壁18を垂設してなるリング状部材であり、上記噴出ヘッド21が、ステム20上端に下部を密嵌させた縦筒22を頂壁23裏面より垂設するとともに、頂壁23周縁部より周壁24を垂設し、且つ、縦筒22上部に基端を連通させたノズル25を周壁24を貫通して前方へ突設してなる噴出ヘッドである。
【００１０】
第３の手段として、以下の通り構成した。即ち、前記第２の手段に於いて、上記連通路ｐが、噴出ヘッド21の縦筒22外方に垂設したリブ43の下面と、リング状部材３上面との当接により規制された、噴出ヘッドの周壁24下面と上向き段部13上面との隙間44である。
【００１１】
第４の手段として、以下の通り構成した。即ち、前記第１の手段に於いて、上記連通路ｐが、噴出ヘッド21の周壁24下面に設けた凹溝33である。
【００１２】
第５の手段として、以下の通り構成した。即ち、前記第４の手段に於いて、上記凹溝33が、噴出ヘッド21の組み付け前に、プレス機35により形成した凹溝である。
【００１３】
第６の手段として、以下の通り構成した。即ち、前記第１の手段に於いて、上記連通路ｐが、リング状部材３の上向き段部13先端部から螺条形成周面ａ上端部に至る部分に設けた凹溝36である。
【００１４】
第７の手段として、以下の通り構成した。即ち、前記第１の手段に於いて、上記連通路ｐが、噴出ヘッド21の周壁24に設けた透孔37である。
【００１５】
【発明の実施の形態】
以下、本発明の実施の形態を図面を参照して説明する。
【００１６】
図１は本発明液体噴出ポンプ１の一例を示すもので、該ポンプ１は、シリンダ２と、リング状部材３と、作動部材４とを備えている。
【００１７】
シリンダ２は、装着する容器体５内へ連通させる外気導入孔６を上部に備えており、装着キャップ７により下端を容器体内に垂下させて上部を容器体口頸部８に固定している。図示例では、周壁９外周上部より突設したフランジ10をパッキン11を介して容器体５の口頸部８上面に載置し、装着キャップ７のフランジ状頂板により口頸部８上面との間に挟持固定されている。
【００１８】
リング状部材３は、シリンダ２上端を被覆するとともに、第１シール部s1を介して密に嵌着したリング状をなし、且つ、螺条12の下部に上向き段部13を有する螺条形成周面ａを備えている。図示例では、シリンダ２内周面上端部に密に嵌合させたシール筒14をドーナツ板状の頂板15裏面より垂設している。この場合、シリンダ２の上端部はやや外方に拡径して形成しており、その拡径部分直下の内面にシール筒14の下端部を密に嵌合し、第１シール部s1を形成している。また、シリンダ２の拡径部内面に周方向多数の縦突条を突設し、シール筒14外周上端部に周方向多数突設した縦突条を係合させて相互の廻り止めとしている。
【００１９】
また、頂板15裏面より垂設した嵌合筒16をシリンダ２外周上端部に、上方への抜け出しを防止すべく凹凸係合手段を介して嵌合させている。更に、頂板15の内周縁より下方へ、作動部材４とのシール部を形成する案内筒17を垂設している。この案内筒17はシール筒14と兼用する構成とすくことも可能である。また、頂板15の外周縁より下方へ周壁18を垂設し、その外面を上向き段部13付きの螺条形成周面ａとして構成している。尚、この螺条形成周面は、嵌合筒16外面に形成することも可能であり、また、頂板15より新たな筒部を立設してその外周面に形成することも可能である。
【００２０】
作動部材４は、シリンダ２内よりリング状部材３中央の貫通孔19を介して突設したステム20の上端に噴出ヘッド21を嵌着させるとともに、上方付勢状態で上下動可能に設けている。
【００２１】
図示例では、ステム20の上端外周に下部を密嵌させた縦筒22を頂壁23の裏面中央部より垂設するとともに、頂壁23周縁部より周壁24を垂設し、縦筒22の上部に基端を開口したノズル25の先端を周壁24を貫通して前方へ突設し、その先端を噴出口26として開口して噴出ヘッド21を構成している。尚、図中27はリブを示す。
【００２２】
そして、作動部材４の上下動により装着した容器体５内の液を吸い上げて噴出ヘッド21の噴出口26より噴出する如く構成している。この様なポンプ機構は従来公知の構成を種々採用でき、図示例を説明すると、シリンダ２内下部に吸込弁28を、ステム20内上部に吐出弁29をそれぞれ設け、ステム20外周下端部にはシリンダ２内に嵌合する環状ピストン30を突設する。また、作動部材４の下面にコイルスプリングを介在させて常時上方に付勢させる。
【００２３】
また、押下げ状態の噴出ヘッド21の周壁24を、上記上向き段部13による螺着幅の規制下に、螺条形成周面ａへの螺着が可能に構成しており、螺着状態でリング状部材３内周面に作動部材４が密に嵌合して第２シール部s2を形成する如く構成している。
【００２４】
図示例では、案内筒17の内周面上端部を内方に突出形成し、また、噴出ヘッド21の縦筒22の上部をやや大径に形成し、この突出部分と大径部分が密に嵌合する如く構成し、この部分を第２シール部s2として構成している。また、噴出ヘッド21の周壁24内周に周設した螺条32を上記リング状部材３の螺条12に螺着可能に構成している。尚、この螺着状態で噴出ヘッド21の周壁24下面が上向き段部13に当接して螺動下降の適正な終点を得られる如く螺着幅の規制をしている。
【００２５】
本発明では、この様に構成された液体噴出ポンプに於いて、上記第２シール部s2を、リング状部材３及び噴出ヘッドで形成される閉空間ｂを介して外部へ連通させる連通路ｐを設けている。
【００２６】
この様な連通路ｐを設けることにより、ポンプの気密試験を行う際に、噴出ヘッド21の周壁24下面がリング状部材３の上向き段部13上面に密に当接している場合であっても正確な試験結果を得られる如く構成している。
【００２７】
気密試験として、例えば、図１に示す如く、作動部材４を押下げ螺着した状態で、外気導入孔６よりエアー等の気体を圧入してその減圧の如何を調べることにより行う。圧入された気体は通常では各シール部によりシールされ密閉されるため減圧しない。第１シール部s1に不良がある場合には、そこからシール筒14とシリンダ２との間、嵌合筒16とシリンダ２との間を通りリング状部材周壁18と装着キャップ７との間から外部へ漏出する。また、第２シール部s2に不良がある場合には、そこから噴出ヘッド21とリング状部材３とで構成される閉空間ｂ、螺着部分を通り、噴出ヘッド周壁24と上向き段部13との間から外部へ漏出する。従って、第２シール部s2のみに不良があった場合に、ヘッド周壁24と上向き段部13とが密に当接している場合でも、この連通路ｐより外部へ気体が漏出し、正確な試験結果が得られる如く構成している。
【００２８】
連通路ｐは種々の形態を採用でき、例えば、図１乃至図３に示す如く、噴出ヘッド21の周壁24下面に設けた凹溝33として構成することができる。凹溝33の数は、一箇所であっても、二箇所以上であっても良い。この場合、気密試験の際に第２シール部s2に不具合があった場合には、外気導入孔６より導入された気体が第２シール部s2を抜け、閉空間ｂから螺着部分を通って凹溝33より噴出し、第２シール部s2に漏れがあることが判る。
【００２９】
この様な噴出ヘッド21の周壁24下面に設けた凹溝33は、噴出ヘッドの組み付け前に、プレス機により形成することができる。例えば、図４(a) に示す如く、下面に所定の突部34を備えたプレス機35を用いて、図４(b) に示す如く、組み付け前の噴出ヘッド21を裏返した状態で上方よりプレスすることにより、図４(c) に示す如く簡単に凹溝33を形成することができる。従って、既存のポンプを利用して簡単に連通路ｐを備えたポンプを形成できるものである。
【００３０】
また、連通路ｐは、図５乃至図７に示す如く、リング状部材３の上向き段部先端部から螺条形成周面ａ上端部に至る部分に設けた凹溝36として構成することができる。この場合には、螺条形成周面ａの螺条12を縦断して凹溝36が設けられる。凹溝36の数は、同様に一箇所であっても、二箇所以上であっても良い。
【００３１】
また、連通路ｐは、図８に示す如く、噴出ヘッドの周壁24に設けた透孔37として構成しても良い。この様な透孔形態の連通路ｐは、図９に示す如く、リング状部材３の頂板15に設けた透孔38として構成しても良い。更に、図示しないが噴出ヘッド21の頂壁23に設けることも可能である。透孔の数は同様に１乃至２以上を採用できる。
【００３２】
更に、連通路ｐは、図10乃至図12に示す如く、上向き段部13上面に突設した突起39により規制された、噴出ヘッド21の周壁24下面と上向き段部13上面との隙間40として構成しても良い。この様な突起により形成する隙間形態の連通路としては、図13及び図14に示す如く、噴出ヘッド21の周壁24下面より突設した突起41により規制された、噴出ヘッド21の周壁24下面と上向き段部13上面との間の隙間42として構成しても良い。各突起の数は１乃至２以上を採用できる。
【００３３】
更に、連通路ｐは、図15乃至図16に示す如く、噴出ヘッド21の縦筒22外方に形成したリブ43の下面と、リング状部材３の頂板15上面との当接により規制された、噴出ヘッド21の周壁24下面と上向き段部13上面との隙間44として構成しても良い。リブ43の数は一箇所でも二箇所以上でも良いが、強度の点から周方向複数設けると良い。
【００３４】
【発明の効果】
以上説明した如く、本発明液体噴出ポンプは、既述構成としたことにより、気密試験を行った際に、正確に各シール部の試験結果を得られるものである。
【００３５】
また、第３の手段のポンプは、連通路ｐとして、噴出ヘッド21に設けたリブ43とリング状部材３上面との当接により規制された、噴出ヘッド周壁24下面と上向き段部13上面との隙間44を採用しているので、構造が極めて簡単であるとともに、周方向どの位置に設けても機能するため形成位置の規制が少なく、その形成も容易で、形成位置を誤ったことによる連通路としての機能不良を引き起こす虞がない。
【００３６】
また、第４の手段では、連通路ｐとして噴出ヘッド周壁24下面に設けた凹溝33を採用しているので、構造が極めて簡単であるとともに、同様に周方向どの位置に設けても機能するため形成位置の規制が少なく、その形成も容易で、形成位置を誤ったことによる連通路としての機能不良を引き起こす虞がない。
【００３７】
また、第５の手段のポンプは、既存のポンプを利用して連通路ｐを備えたポンプを極めて簡単に形成できる利点を兼ね備えている。
【００３８】
また、第６の手段のポンプは、連通路として、リング状部材３の上向き段部13先端部から螺条形成周面ａ上端部に至る部分に設けた凹溝36を採用しているので、螺条形成周面ａの螺条12を縦断して凹溝36が設けられるため、更に確実な外部との連通が可能となる。
【００３９】
また、第７の手段のポンプは、連通路ｐとして、噴出ヘッド周壁24に設けた透孔37を採用しているので、その形成が容易であり、また、この場合も既存のポンプを利用して後加工で連通路ｐを備えたポンプを簡単に形成できる利点がある。
【図面の簡単な説明】
【図１】本発明の一実施例を示す一部切欠要部側面図である。
【図２】同実施例の連通路部分の要部拡大断面図である。
【図３】同実施例の連通路部分の要部拡大正面図である。
【図４】同実施例の連通路を形成する方法を説明する説明図である。
【図５】本発明の他の実施例を示す一部切欠要部側面図である。
【図６】同実施例の連通路部分の要部拡大断面図である。
【図７】同実施例の連通路部分の要部拡大正面図である。
【図８】本発明の更に他の実施例を示す一部切欠要部側面図である。
【図９】本発明の更に他の実施例を示す一部切欠要部側面図である。
【図１０】本発明の更に他の実施例を示す一部切欠要部側面図である。
【図１１】同実施例の連通路部分の要部拡大断面図である。
【図１２】同実施例の連通路部分の要部拡大正面図である。
【図１３】本発明の更に他の実施例を示す連通路部分の要部拡大断面図である。
【図１４】同実施例の連通路部分の要部拡大正面図である。
【図１５】本発明の更に他の実施例を示す一部切欠要部側面図である。
【図１６】同実施例の連通路部分の要部拡大断面図である。
【図１７】従来のポンプの一例を示す一部切欠要部側面図である。
【符号の説明】
２…シリンダ、３…リング状部材、４…作動部材、５…容器体、
６…外気導入孔、13…上向き段部、14…シール筒、15…頂板、17…案内筒、
18…リング状部材周壁、19…貫通孔、20…ステム、21…噴出ヘッド、
22…縦筒、23…噴出ヘッド頂壁、24…噴出ヘッド周壁、25…ノズル、
26…噴出口、33…凹溝、35…プレス機、36…凹溝、43…リブ、44…隙間、
ａ…螺条形成周面、ｂ…閉空間、s1…第１シール部、s2…第２シール部、
ｐ…連通路
【図１】
0004222464.tif 000002
【図２】
0004222464.tif 000003
【図３】
0004222464.tif 000004
【図４】
0004222464.tif 000005
【図５】
0004222464.tif 000006
【図６】
0004222464.tif 000007
【図７】
0004222464.tif 000008
【図８】
0004222464.tif 000009
【図９】
0004222464.tif 000010
【図１０】
0004222464.tif 000011
【図１１】
0004222464.tif 000012
【図１２】
0004222464.tif 000013
【図１３】
0004222464.tif 000014
【図１４】
0004222464.tif 000015
【図１５】
0004222464.tif 000016
【図１６】
0004222464.tif 000017
【図１７】
0004222464.tif 000018